(57)【特許請求の範囲】
【請求項１】
乗り物の運用を支援するシステムであって、
前記乗り物の利用に応じた利用料金の課金を行う課金処理部と、
前記利用料金の一部を、前記利用に係る出発ポートを提供する第１の提供者と、前記利用に係る目的ポートを提供する第２の提供者との両方に支払を行う利益分配処理部と、
を備えることを特徴とする運用支援システム。
【請求項２】
請求項１に記載の運用支援システムであって、
前記乗り物は電動であり、
前記利益分配処理部は、前記乗り物の利用により使用された電力量の少なさに応じて、前記提供者への支払額を上げるように調整すること、
を特徴とする運用支援システム。
【請求項３】
請求項１に記載の運用支援システムであって、
前記乗り物は電動であり、電池を備えており、
前記利益分配処理部は、所定期間における、前記ポートに駐車されている前記乗り物が備える前記電池の充電残量の多さに応じて、前記提供者への支払額を上げるように調整すること、
を特徴とする運用支援システム。
【請求項４】
電池を備える電動の乗り物の運用を支援するシステムであって、
前記乗り物の利用に応じた利用料金の課金を行う課金処理部と、
前記利用料金に応じて、前記乗り物を駐車するポートの提供者に支払を行う利益分配処理部と、
を備え、
前記利益分配処理部は、所定期間における、前記ポートに駐車されている前記乗り物が備える前記電池の充電量の合計の多さに応じて、前記提供者への支払額を上げるように調整することを特徴とする運用支援システム。
【請求項５】
請求項４に記載の運用支援システムであって、
前記利益分配処理部は、前記利用に係る出発ポートを提供する第１の提供者と、前記利用に係る目的ポートを提供する第２の提供者との両方に、前記支払を行うこと、
を特徴とする運用支援システム。
【請求項６】
請求項４に記載の運用支援システムであって、
前記利益分配処理部は、前記乗り物の利用により使用された電力量の少なさに応じて、前記提供者への支払額を上げるように調整すること、
を特徴とする運用支援システム。
【発明の詳細な説明】
【技術分野】
【０００１】
本発明は、運用支援システムに関する。
【背景技術】
【０００２】
乗り物のシェアリングでサーバから乗り物の走行可能化を制御する技術が知られている（特許文献１参照）。
【先行技術文献】
【特許文献】
【０００３】
【特許文献１】特開２０１７−１６９０５１号公報
【発明の概要】
【発明が解決しようとする課題】
【０００４】
しかしながら、特許文献１に記載のシステムでは、乗り物の保管場所についての検討がなされていない。
【０００５】
本発明はこのような背景を鑑みてなされたものであり、乗り物の保管場所の設定を促進することのできる技術を提供することを目的とする。
【課題を解決するための手段】
【０００６】
上記課題を解決するための本発明の主たる発明は、乗り物の運用を支援するシステムであって、前記乗り物の利用に応じた利用料金の課金を行う課金処理部と、前記利用料金に応じて、前記乗り物を駐車するポートの提供者に支払を行う利益分配処理部と、を備えることを特徴とする。
【０００７】
その他本願が開示する課題やその解決方法については、発明の実施形態の欄及び図面により明らかにされる。
【発明の効果】
【０００８】
本発明によれば、乗り物の保管場所の設定を促進することができる。
【図面の簡単な説明】
【０００９】
【図１】本実施形態に係る自転車の共有サービスを説明する図である。
【図２】本実施形態の運用支援システムの構成例を示す図である。
【図３】管理サーバ２のハードウェア構成例を示す図である。
【図４】管理サーバ３のソフトウェア構成例を示す図である。
【図５】利益分配に関する処理の流れを説明する図である。
【図６】ポートオーナー２３への分配額を計算する処理を説明する図である。
【発明を実施するための形態】
【００１０】
＜発明の概要＞
本発明の実施形態の内容を列記して説明する。本発明は、たとえば、以下のような構成を備える。
［項目１］
乗り物の運用を支援するシステムであって、
前記乗り物の利用に応じた利用料金の課金を行う課金処理部と、
前記利用料金に応じて、前記乗り物を駐車するポートの提供者に支払を行う利益分配処理部と、
を備えることを特徴とする運用支援システム。
［項目２］
項目１に記載の運用支援システムであって、
前記利益分配処理部は、前記利用に係る出発ポートを提供する第１の提供者と、前記利用に係る目的ポートを提供する第２の提供者との両方に、前記支払を行うこと、
を特徴とする運用支援システム。
［項目３］
項目１に記載の運用支援システムであって、
前記乗り物は電動であり、
前記利益分配処理部は、前記乗り物の利用により使用された電力量の少なさに応じて、前記提供者への支払額を上げるように調整すること、
を特徴とする運用支援システム。
［項目４］
項目１に記載の運用支援システムであって、
前記乗り物は電動であり、電池を備えており、
前記利益分配処理部は、所定期間における、前記ポートに駐車されている前記乗り物が備える前記電池の充電残量の多さに応じて、前記提供者への支払額を上げるように調整すること、
を特徴とする運用支援システム。
【００１１】
＜システム概要＞
以下、本発明の一実施形態に係る乗り物共有サービスの運用支援システムについて説明する。本実施形態では、電動機付きの自転車の共有サービス（レンタルサービスを含む。）を想定しているが、任意の乗り物の共有サービスに適用することができる。図１は、本実施形態に係る自転車の共有サービスを説明する図である。自転車１は、各所に設けられたポート２に駐輪されている。本実施形態では、ポート２とは、自転車１を駐輪（保管）させることのできる場所を意味するものとする。各ポート２には、ポート毎に設定された所定の台数までの自転車１を駐輪することができる。各ポート２には使用中スペース２１と空きスペース２２との少なくともいずれかが存在しうる。自転車共有サービスの利用者１１は、出発ポート２（Ｓ）から目的ポート２（Ｄ）まで自転車１に乗って移動することができる。利用者１１は、自転車１の利用に先立って目的ポート２（Ｄ）を指定する。目的ポート２（Ｄ）に空きポート２２が存在していれば、自転車１の利用は許可され、自転車１は自動的に解錠されて利用者１１による利用が可能となる。
【００１２】
利用者１１は、自転車１を利用した時間に応じた利用料金を支払う。本実施形態の運用支援システムでは、利用者が支払った利用料金の一部をポート２を管理しているポートオーナー２３に分配する。本実施形態では、利用料金の分配は、出発ポート２（Ｓ）のオーナー２３と、目的ポート２（Ｄ）のオーナー２３との両方に対して行われるものとするが、いずれか一方のみを対象としてもよい。ポートオーナー２３に利用料金の一部が還元（プロフィットシェア）されることにより、ポートオーナー２３にとって、ポート２を設置する動機づけになるとともに、ポート２の使用体験が向上するようにメンテナンス等を行う動機づけにもなる。
【００１３】
図２は、本実施形態の運用支援システムの構成例を示す図である。本実施形態の運用支援システムは、管理サーバ２０を含んで構成される。管理サーバ２０は、利用者１１が操作する利用者端末１３と通信ネットワーク３を介して通信可能に接続されうる。通信ネットワーク３は、たとえばインターネットであり、公衆電話回線網や携帯電話回線網、無線通信路、イーサネット（登録商標）などにより構築される。
【００１４】
利用者端末１３は、例えば、スマートフォンやタブレットコンピュータ、携帯電話端末、パーソナルコンピュータなどのコンピュータである。利用者１１は自転車１の利用にあたり、利用の申込や目的ポート２（Ｄ）の設定などを利用者端末１３を用いて行うことができる。
【００１５】
＜管理サーバ＞
管理サーバ２は、例えばワークステーションやパーソナルコンピュータのような汎用コンピュータとしてもよいし、あるいはクラウド・コンピューティングによって論理的に実現されてもよい。
【００１６】
図３は、管理サーバ２のハードウェア構成例を示す図である。なお、図示された構成は一例であり、これ以外の構成を有していてもよい。管理サーバ２は、ＣＰＵ０１、メモリ２０２、記憶装置２０３、通信インタフェース２０４、入力装置２０５、出力装置２０６を備える。記憶装置２０３は、各種のデータやプログラムを記憶する、例えばハードディスクドライブやソリッドステートドライブ、フラッシュメモリなどである。通信インタフェース２０４は、通信ネットワーク３に接続するためのインタフェースであり、例えばイーサネット（登録商標）に接続するためのアダプタ、公衆電話回線網に接続するためのモデム、無線通信を行うための無線通信機、シリアル通信のためのＵＳＢ（Universal Serial Bus）コネクタやＲＳ２３２Ｃコネクタなどである。入力装置２０５は、データを入力する、例えばキーボードやマウス、タッチパネル、ボタン、マイクロフォンなどである。出力装置２０６は、データを出力する、例えばディスプレイやプリンタ、スピーカなどである。
【００１７】
図４は、管理サーバ３のソフトウェア構成例を示す図である。管理サーバ２０は、機体情報取得部２１１、機体利用処理部２１２、履歴登録部２１３、課金処理部２１４、利益分配処理部２１５、ポート情報記憶部２３１、機体情報記憶部２３２、オーナー情報記憶部２３３、利用履歴記憶部２３４、配置換え履歴記憶部２３５を備える。
【００１８】
ポート情報記憶部２３１は、ポート２に関する情報（以下、ポート情報という。）を記憶する。ポート情報には、ポート２を特定するポートＩＤに対応付けて、ポート２の位置（代表位置を緯度経度で表現することができる。）、ポートオーナー２３を特定するオーナーＩＤ、ポート２に停めておくことのできる自転車の台数（駐車可能台数）、現在の空いているスペースの数（空き台数）が含まれる。
【００１９】
機体情報記憶部２３２は、自転車１に関する情報（以下、機体情報という。）を記憶する。機体情報には、自転車１を特定する機体ＩＤに対応付けて、機体情報の最終更新日時、自転車１の位置、自転車１が備える電池の充電量、自転車１が現在（最終更新日時の時点で）利用中であるか否かを示す利用中フラグ、自転車１が駐車されているポート２を示すポートＩＤ（自転車が使用中である場合にはＮＵＬＬ値を設定してよい。）が含まれる。
【００２０】
オーナー情報記憶部２３３は、ポートオーナー２３に関する情報（以下、オーナー情報という。）を記憶する。オーナー情報には、ポートオーナー２３を示すオーナーＩＤに対応付けて、支払情報が含まれる。支払情報は、例えば、振込先の銀行口座の番号など、ポートオーナー２３に対して利用料金の分配を支払うための情報が含まれる。
【００２１】
利用履歴記憶部２３４は、自転車１の利用履歴が記憶される。利用履歴には、自転車１を利用した利用者１１を示す利用者ＩＤ、利用開始日時、利用終了日時、利用された自転車１を示す機体ＩＤ、出発ポート２（Ｓ）を示すポートＩＤ、目的ポート２（Ｄ）を示すポートＩＤ、利用料金及び使用電力量が含まれる。
【００２２】
配置換え履歴記憶部２３５は、自転車１の配置換えに関する履歴（以下、配置換え履歴という。）を記憶する。自転車１の配置換えは、例えば、空きスペース２２がなくなったポート２から、空きスペース２２の多いポート２に自転車１を移動することをいう。ポート２に駐輪されている自転車１の数（空きポート２２の割合）がバランスするように、定期的に自転車１は配置換えされているものとする。配置換え履歴記憶部２３５は、このような配置換えの履歴を記憶する。配置換え履歴には、配置換えの行われた日時、配置換えされた自転車１を示す機体ＩＤ、配置換え前のポート２（出発ポート）を示すポートＩＤ、配置換え後のポート２（目的ポート）を示すポートＩＤが含まれる。
【００２３】
機体情報取得部２１１は、機体情報を取得する。機体情報取得部２１１は、最初に機体情報の入力を受け付けて機体情報記憶部２３２に登録した後は、自転車１の位置及び充電量のみを取得して機体情報を更新することができる。自転車１には、例えば、ＧＰＳ等により自転車１の位置を測定する機能、電池の残量を測定する機能、及び通信機能と有する通信機を設け、機体情報取得部２１１は、この通信機と通信を行うことにより、自転車１の位置及び電池充電量を取得するようにすることができる。また、機体情報取得部２１１は、利用者端末１３に対して問い合わせ、利用者端末１３から自転車１の位置及び充電量を取得するようにすることもできる。この場合、利用者端末１３は、例えば、自転車１が備える上記通信機から位置及び充電量を取得するようにしてもよいし、自転車１が備える上記通信機から充電量を取得して、利用者端末１３が備えるＧＰＳ機能などにり利用者端末１３の位置を自転車１の位置として取得するようにしてもよいし、充電量の入力を利用者１１から受け付けるようにしてもよい。利用者端末１３は、例えば、カメラを用いて充電量を示す自転車１のディスプレイを撮影し、撮影画像から充電量を読み取るようにすることもできる。機体情報取得部２１１は、定期的に機体情報を取得することができる。機体情報取得部２１１は、例えば、１分ごと、５分毎、１０分毎など任意のタイミングで自転車１の通信機と通信を行い、位置及び充電量を取得することができる。また、機体情報取得部２１１は、自転車１から送信されてくる位置及び充電量を受動的に受信するようにすることもできる。
【００２４】
機体利用処理部２１２は、自転車１の利用開始及び終了に係る処理を行う。
【００２５】
機体利用処理部２１２は、自転車１の利用開始時には、利用者端末１３から利用開始要求を受信する。利用開始要求には、利用者を示す利用者ＩＤと、利用したい自転車１を示す機体ＩＤと、目的ポート２（Ｄ）を示すポートＩＤとが設定される。機体利用処理部２１２は、例えば、利用開始要求に含まれている機体ＩＤに対応する機体情報の利用中フラグが偽であり、かつ、利用開始要求に含まれているポートＩＤ（目的ポート）に対応するポート情報の空き台数が０でなければ利用を許可することができる。機体利用処理部２１２は、当該ポート情報の空き台数をデクリメントし、機体情報のポートＩＤに対応するポート情報の空き台数をインクリメントし、機体情報の利用中フラグを真に更新することができる。機体利用処理部２１２は、利用開始時の日時、機体情報のポートＩＤ及び充電量、ならびに目的ポート２（Ｄ）を示すポートＩＤをメモリ２０２や記憶装置２０３に記憶しておくことができる。
【００２６】
機体利用処理部２１２は、自転車１の利用終了時には、利用者端末１３から利用終了要求を受信する。利用終了要求には利用者ＩＤと機体ＩＤと自転車１を目的ポート２に駐車した状態を撮影した画像とが含まれる。機体利用処理部２１２は、現在の自転車１の機体情報の位置と、目的ポート２（Ｄ）のポートＩＤに対応するポート情報の位置との間の距離を計算し、当該距離が所定の閾値以内である場合、すなわち、現在の自転車１の位置が目的ポート２（Ｄ）の位置の近傍である場合に、目的ポート２（Ｄ）に自転車１があるものとして、利用終了を許可することができる。機体利用処理部２１２は、利用終了した自転車１の機体情報の利用中フラグを偽に更新することができる。画像は、事後に、利用者１１による自転車１の利用の仕方を調査する場合に用いることができる。
【００２７】
履歴登録部２１３は、利用履歴及び配置換え履歴を登録することができる。
【００２８】
履歴登録部２１３は、機体利用処理部２１２が利用終了要求を受信した場合に、利用履歴を登録することができる。履歴登録部２１３は、利用開始時の機体情報の充電量と、現在の充電量との差を使用電力量とし、利用開始時から現在までの利用時間に応じて利用料金を決定することができる。利用料金の決定は、例えば、所定の時間単価に利用時間を乗じて算出するようにしてもよいし、利用者１１に応じて異なるダイナミックプライシングにより利用料金を決定するようにしてもよい。履歴登録部２１３は、利用者ＩＤ、利用開始日時、現在の日時（終了日時）、機体ＩＤ、利用開始時のポートＩＤ、目的ポートのポートＩＤ、利用料金及び使用電力量を設定した利用履歴を作成して利用履歴記憶部２３４に登録することができる。
【００２９】
また、履歴登録部２１３は、機体情報が更新された場合に、機体情報の利用中フラグが偽であり、かつ、位置が所定値よりも大きく変化していた場合には、配置換えが行われたと判定することができる。この場合、履歴登録部２１３は、機体情報の位置の変化を監視し、位置の変化量が所定値以下となった時間が所定時間以上継続した場合（自転車１の移動が止まった場合）に、当該位置に最も近いポート２をポート情報から特定し、特定したポート２のポートＩＤを機体情報のポートＩＤに設定することができる。履歴登録部２１３は、現在の日時、配置換えされた自転車１の機体ＩＤ、更新前のポートＩＤ及び更新後のポートＩＤを設定した配置換え履歴を作成して配置帰り歴記憶部２３５に登録することができる。
【００３０】
課金処理部２１４は、利用料金を利用者１１に課金するための処理を行う。課金に関する処理には公知の手法を用いるものとしてここでは説明を省略する。
【００３１】
利益分配処理部２１５は、ポートオーナー２３への利益分配に関する処理を行う。履歴分配処理部２１５は、例えば、１週間や１か月など任意の所定期間ごとの利用履歴を抽出し、利用履歴に含まれている利用料金の所定割合（本実施形態では５％とする。）を出発ポート２（Ｓ）のポートオーナー２３に割り当て、同様に利用履歴に含まれている利用料金の所定割合（本実施形態では５％とする。）を目的ポート２（Ｄ）のポートオーナー２３にも割り当てる。利益分配処理部２１５は、割り当てた金額をポートオーナー２３ごとに合計してポートオーナー２３への支払額を決定することができる。利益分配処理部２１５は、決定した支払額を公知の手法を用いてポートオーナー２３に対して支払う処理を行う。
【００３２】
なお、利益分配処理部２１５は、例えば、出発ポート２（Ｓ)のポートオーナー２３のみ、又は目的ポート２（Ｄ）のポートオーナー２３のみに対して利益分配を行うようにしてもよい。また、利益分配処理部２１５は、出発ポート２（Ｓ)のポートオーナー２３と目的ポート２（Ｄ）のポートオーナー２３とで異なる割合の分配とするようにしてもよい。
【００３３】
また、利益分配処理部２１５は、自転車１の使用電力量に応じてポートオーナー２３への分配を増減させるようにしてもよい。使用電力量が多いと自転車１の充電の手間がかかるため運用のコストがかかるため、これに応じた調整を利益分配で行うことができる。利益分配処理部２１５は、例えば、所定期間中の使用電力量の合計が少ない（例えば、全使用電力量の平均値から所定値以上少ない）ポート２（出発ポートであっても目的ポートであってもよい。）のポートオーナー２３に対しては、所定の金額または所定の割合の金額を分配額に加算することができる。なお、利益分配処理部２１５は、目的ポートのポートオーナー２３に対してのみ当該使用電力量に応じた加算を行うようにしてもよい。
【００３４】
また、利益分配処理部２１５は、自転車１の配置換えの頻度又は配置換えの距離に応じてポートオーナー２３への分配を増減させるようにしてもよい。配置換えが多いことはすなわち、配置換えに係るコストがかかる。これが少ないまたは移動距離の少ないポート２については、当該コストが少ない分の加算を行うことができる。利益分配処理部２１５は、例えば、ポート２ごとに、所定期間中に当該ポート２が出発ポート又は目的ポートに設定されている配置換え履歴の数をカウントし、カウントした数が所定値（事前に設定した閾値であってもよいし、全体の数に対する割合であってもよいし、ポート２ごとのカウント数の平均値や中央値などであってもよい。）未満である場合には、所定の金額、所定の割合の金額、数に応じた金額、数に応じた割合の金額を分配額に加算することができる。なお、利益分配処理部２１５は、目的ポートのポートオーナー２３に対してのみ当該配置換え履歴の数に応じた加算を行うようにしてもよい。ここで利益分配処理部２１５は、配置換え履歴の数に代えて、配置換え履歴に係る出発ポートと目的ポートとの間の距離に応じて上記加算処理を行うようにすることもできる。
【００３５】
また、利益分配処理部２１５は、ポート２に駐車されている自転車１の充電量に応じてポートオーナー２３への分配を増減させるようにしてもよい。ポート２ある自転車１の充電量が多いことは利用者１１に対するユーザビリティの向上になるため、充電量に応じた分配を行うことで、ポートオーナー２３に対して充電量が多くなるように運営する動機づけになることが期待される。利益分配処理部２１５は、例えば、ポート２ごとに、分配処理を行う時点での充電量の合計を再出し、当該充電量に応じて追加の分配額を決定することができる。利益分配処理部２１５は、例えば、充電量の合計が所定値（事前に設定した閾値であってもよいし、全体の充電量に対する割合であってもよいし、ポート２ごとの充電量合計の平均値や中央値などであってもよい。）以上である場合に、所定の金額、所定の割合の金額、数に応じた金額、数に応じた割合の金額を分配額に加算することができる。なお、利益分配処理部２１５は、目的ポートのポートオーナー２３に対してのみ当該充電量に応じた加算を行うようにしてもよい。
【００３６】
＜動作＞
図５は、利益分配に関する処理の流れを説明する図である。利用者端末１３から管理サーバ２０に利用開始要求が送信される（Ｓ４０１）。利用開始要求には、利用者１１を特定する利用者ＩＤ、利用者１１が利用したい自転車１を特定する機体ＩＤ、及び自転車１を乗っていく先の目的ポート２（Ｄ）を示すポートＩＤが設定される。管理サーバ２０では、上述したように自転車１が利用中でなく、目的ポート２に空きがあるかどうかにより自転車１の利用可否を判定される（Ｓ４０２）。自転車１が利用可能であれば、管理サーバ２０から自転車にロックの解除命令が送信され（Ｓ４０３）、自転車１が解錠される（Ｓ４０４）。これにより利用者１１は自転車１を利用可能となる。自転車１の利用中には、自転車１からは定期的に位置及び電池残量が管理サーバ２０に通知される（Ｓ４０５）。
【００３７】
自転車１の利用終了時には、利用者端末１３から利用終了要求が管理サーバ２０に送信される（Ｓ４０６）。利用終了要求には、利用者ＩＤ、機体ＩＤ及び自転車１の駐車した様子を撮影した画像が含まれる。管理サーバ２０は、自転車１が目的ポート２に到着していることを位置情報により確認し、利用終了の可否を判断する（Ｓ４０７）。利用終了に問題がなければ、管理サーバ２０から自転車１に施錠命令が送信され（Ｓ４０８）、自転車１がロックされる（Ｓ４０９）。
【００３８】
管理サーバ２０では、利用履歴が登録され（Ｓ４１０）、利用時間に応じた利用料金が利用者に課金される（Ｓ４１１）。
【００３９】
管理サーバ２０はまた、利用履歴に応じてポートオーナー２３への分配額を計算し（Ｓ４１２）、計算した分配額をポートオーナー２３に支払う処理を行う（Ｓ４１３）。
【００４０】
図６は、ポートオーナー２３への分配額を計算する処理を説明する図である。
【００４１】
管理サーバ２０の利益分配処理部２１５は、所定期間（例えば、１か月分など）の利用履歴を利用履歴記憶部２３４から詠み出す（Ｓ５０１）。利益分配処理部２１５は、利用料金の５％を出発ポートのポートオーナー２３への分配額として計算する（Ｓ５０２）。ここで利益分配処理部２１５は、所定期間分の利用履歴について、出発ポートのポートＩＤごとに利用料金を合計し、その５％を算出すればよい。同様に、利益分配処理部２１５は、利用料金の５％を目的ポートのポートオーナー２３への分配額として計算することができる（Ｓ５０３）。
【００４２】
利益分配処理部２１５は、ポートＩＤごとに、当該ポートＩＤに対応する利用履歴の使用電力量を合計し、合計した使用電力量に応じた金額を、当該ポートＩＤに対応する分配額に加算する（Ｓ５０４）。また、利益分配処理部２１５は、ポートＩＤごとに、当該ポートＩＤに対応する配置換え履歴の集計値（例えば、配置換え履歴の数のカウントや出発ポートから目的ポートまでの距離の平均等）に応じた金額を、当該ポートＩＤに対応する分配額に加算する（Ｓ５０５）。また、利益分配処理部２１５は、ポートＩＤごとに、当該ポートＩＤに対応する機体情報の充電量を集計（例えば、合計や平均）し、集計値に応じた金額を、当該ポートＩＤに対応する分配額に加算する（Ｓ５０６）。
【００４３】
利益分配処理部２１５は、以上のようにして計算した分配額をポートオーナー２３に支払う処理を行う（Ｓ５０７）。
【００４４】
以上のようにして、自転車１の利用料金に応じた利益分配を、自転車１を保管するポート２のポートオーナー２３に対して行うことができる。
【００４５】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００４６】
例えば、本実施形態では、自転車の利用前に目的ポートを設定するものとしたが、目的ポートは設定せずに利用可能としてもよい。この場合、例えば、利用開始要求には目的ポートを設定せず、利用者ＩＤ及び機体ＩＤのみを設定するようにし、機体利用処理部２１２は、機体ＩＤに対応する機体情報の利用中フラグが偽である場合に利用を許可することができる。また、例えば、目的ポートの代わりに利用予定時間を設定するようにして、利用中フラグが偽であり、かつ、利用時間が所定の最大値以下である場合に利用を許可するようにしてもよい。
【００４７】
また、本実施形態では、ポートオーナー２３への利益分配額は、利用料金に５％の割合を乗じて算出することを想定していたが、この５％の割合は、１％、３％、１０％など、任意の割合とすることができる。また、出発ポートのオーナーと、目的ポートのオーナーとで異なる割合とすることもできる。また、時間帯に応じて異なる割合を設定するようにしてもよいし、ポートオーナーの属性（例えば、一般人か法人か、オーナーになってからの日数、所有しているポートの数、ポートに駐輪可能な自転車１の数など）に応じて異なる割合としてもよい。また、ポートオーナー２３への利益分配額は、利用料金に対する割合ではなく、固定金額又は利用料金とは別の要因により動的に決定される金額であってもよい。
【符号の説明】
【００４８】
１      自転車
２      ポート
３      通信ネットワーク
１１    利用者
１３    利用者端末
２０    管理サーバ
２１１  機体情報取得部
２１２  機体利用処理部
２１３  履歴登録部
２１４  課金処理部
２１５  利益分配処理部
２３１  ポート情報記憶部
２３２  機体情報記憶部
２３３  オーナー情報記憶部
２３４  利用履歴記憶部
２３５  配置換え履歴記憶部
【要約】      （修正有）【課題】乗り物の保管場所の設定を促進することができる運用支援システムを提供する。【解決手段】乗り物の運用を支援するシステムにおいて、管理サーバ２０は、乗り物の利用に応じた利用料金の課金を行う課金処理部２１４と、利用料金に応じて、乗り物を駐車するポートの提供者に支払を行う利益分配処理部２１５と、を備える。【選択図】図４【図１】
0006781493.tif 000002
【図２】
0006781493.tif 000003
【図３】
0006781493.tif 000004
【図４】
0006781493.tif 000005
【図５】
0006781493.tif 000006
【図６】
0006781493.tif 000007